(57)【要約】【課題】反射部材の支持部と波長変換部材との間に隙間が生じないように波長変換部材を平坦に取着し、発光素子から発せられる光が隙間から漏洩しないようにする。【解決手段】上側主面に発光素子３が搭載される搭載部１ａを有する基体１と、搭載部１ａに搭載された発光素子３と、基体１の上側主面に発光素子３を取り囲むように配置された反射部材２と、発光素子３上に配置された波長変換部材５とを具備する発光装置において、反射部材２は、その内周面２ａに波長変換部材５を接着剤６を介して支持するための支持部２ｂが設けられており、支持部２ｂの上面に接着剤６が入り込んだ凹部２ｃが設けられている。凹部２ｃにより、波長変換部材５を反射部材２に密着させて強固に接着させることができ、発光装置の光出力および発光効率を向上できるとともに、発光装置の色バラツキや色むらを抑制できる。【選択図】  図１
2007234637.tif 000002
【特許請求の範囲】
【請求項１】
上側主面に発光素子が搭載される搭載部を有する基体と、前記搭載部に搭載された発光素子と、前記基体の上側主面に前記発光素子を取り囲むように配置された反射部材と、前記発光素子上に配置された波長変換部材とを具備する発光装置において、前記反射部材は、その内周面に前記波長変換部材を接着剤を介して支持するための支持部が設けられており、該支持部の上面に前記接着剤が入り込んだ凹部が設けられていることを特徴とする発光装置。
【請求項２】
前記支持部は、前記反射部材の内周面の全周にわたって環状に設けられていることを特徴とする請求項１に記載の発光装置。
【請求項３】
前記凹部は、前記反射部材の内周方向に沿って溝状に前記支持部上面に連続するように設けられていることを特徴とする請求項１または請求項２に記載の発光装置。
【請求項４】
前記凹部は、前記反射部材の内周方向に沿って前記支持部上面に分割して設けられていることを特徴とする請求項１または請求項２に記載の発光装置。
【請求項５】
前記凹部は、平面視において円形状であることを特徴とする請求項４に記載の発光装置。
【請求項６】
前記凹部は、その縦断面形状が円弧状であることを特徴とする請求項１乃至請求項５のいずれかに記載の発光装置。
【請求項７】
前記発光素子は、透光性部材に被覆されており、該透光性部材は、前記反射部材の内側に前記波長変換部材の下面との間に空隙が形成されるように配されていることを特徴とする請求項１乃至請求項６に記載の発光装置。
【請求項８】
請求項１乃至請求項７のいずれかに記載の発光装置と、前記発光装置が搭載され、前記発光装置を駆動する電気配線を有する駆動部と、前記発光装置から出射される光を反射する光反射手段とを含む照明装置。
【発明の詳細な説明】
【技術分野】
【０００１】
本発明は、発光素子が発する光を外部に効率よく放射する発光装置およびそれを用いた照明装置に関し、より詳細には発光素子が発する光を波長変換する波長変換部材の接着方法を改善した発光装置およびそれを用いた照明装置に関する。
【背景技術】
【０００２】
従来の発光ダイオード（ＬＥＤ）等の発光素子から発光される近紫外光や、青色，赤色，緑色，黄色等の可視領域波長の光を発光する発光装置を図１２に示す。図１２（ａ），図１２（ｂ）において、１１は基体、１２は反射部材、１３は発光素子、１４は透光性部材、１５は波長変換部材を示す。
【０００３】
従来の発光装置は、上側主面に発光素子１３を搭載するための搭載部１１ａを有し、搭載部１１ａまたはその周辺から発光装置の内外を電気的に導通接続する配線導体（図示せず）が形成された絶縁体からなる基体１１と、搭載部１１ａに配線導体と導電性部材（図示せず）を介してフリップチップ実装され電気的に接続固定された発光素子１３と、基体１１上面に発光素子１３を取り囲むように配置された反射部材１２と、反射部材１２の内周面１２ａの全周に形成された支持部１２ｂの上面に、接着剤１６（図１２（ａ）参照）を介して接着されるか、または、支持部１２ｂに載置され、透光性部材１４（図１２（ｂ）参照）を介して反射部材１２に取着された波長変換部材１５とから主に構成されている。
【０００４】
この波長変換部材１５は、発光素子１３が発する紫外領域から青色領域に含まれる光を所望の波長スペクトル、例えば白色に見える光に波長変換するもので、反射部材１２の内側に発光素子１３を覆うように配置される。
【０００５】
図１２（ａ）に示される発光装置においては、波長変換部材１５は、その外周面が反射部材１２の内周面に段差状に形成された上面が平坦な支持部１２ｂに、シリコーン樹脂，エポキシ樹脂，アクリル樹脂，ガラス接着剤等の発光素子１３からの光に対して劣化しにくい接着剤１６を介して接着される。
【０００６】
図１２（ｂ）に示される発光装置においては、波長変換部材１５は、反射部材１２の内側の支持部１２ｂの上面位置まで充填された透光性部材１４の表面に接触するように支持部１２ｂに載置され、その後、透光性部材１４が熱硬化されることによって透光性部材１４を介して反射部材１２に接着される。
【０００７】
近年、この様な発光装置は、照明用光源として利用され始めており、特に発光装置の発光効率や放射される光の色再現性や色安定性，環境性に対する要求が高まってきている。
【特許文献１】特開平１０−１９００６５号公報
【発明の開示】
【発明が解決しようとする課題】
【０００８】
しかしながら、図１２（ａ）に示される発光装置においては、接着剤１６が支持部１２ｂの外周からさらに内周面１２ａを這い上がるように濡れ広がった形状で波長変換部材１５が接着される傾向がある。内周面１２ａを這い上がるようにして接着剤１６が硬化してしまうと、その上面に載置されている波長変換部材１５が支持部１２ｂから浮き上がるように配置されてしまい、支持部１２ｂの上面と波長変換部材１５との間に隙間が生じてしまう結果、この隙間を通して発光素子１３の光が漏洩してしまうという問題点を生じていた。この場合、隙間から漏洩してしまう発光素子１３からの光は、波長変換部材１５によって有効に変換されず、よって発光装置の発光効率が低下してしまったり、発光装置から放射される光に色むらが生じたり、発光色が変化してしまったりする。
【０００９】
また、波長変換部材１５が支持部１２ｂから浮き上がったように接着される結果、十分な接着強度が得られないという問題点があった。
【００１０】
また、図１２（ｂ）に示される発光装置においては、未硬化の透光性部材１４が硬化する際に生じる体積収縮によって、波長変換部材１２が下側に湾曲するように接着されてしまう傾向がある。そして、波長変換部材１５の中央部が下側に湾曲するように変形する結果、波長変換部材１５の外周面と支持部１２ｂの上面との間には隙間が生じてしまう。その結果、この隙間を通して発光素子１３からの光が漏洩してしまうという問題点を有していた。この場合も、隙間から漏洩してしまう発光素子１３からの光は、波長変換部材１５によって有効に変換されず、よって発光装置の発光効率が低下したり、発光装置から放射される光に色むらが生じたり、発光色が変化して色ばらつきが生じてしまったりする。
【００１１】
したがって、本発明はかかる従来の問題点に鑑みて完成されたものであり、その目的は、反射部材の支持部と波長変換部材との間に隙間が生じないように波長変換部材を支持部に平坦に取着し、発光素子から発せられる光が隙間から漏洩してしまわないようにすることにある。そして、発光装置の発光効率を向上させるとともに、発光装置から放射される光に色むらや色バラツキが生じるのを抑制し、高品質な発光装置およびそれを用いた照明装置を提供することにある。
【課題を解決するための手段】
【００１２】
本発明の発光装置は、上側主面に発光素子が搭載される搭載部を有する基体と、前記搭載部に搭載された発光素子と、前記基体の上側主面に前記発光素子を取り囲むように配置された反射部材と、前記発光素子上に配置された波長変換部材とを具備する発光装置において、前記反射部材は、その内周面に前記波長変換部材を接着剤を介して支持するための支持部が設けられており、該支持部の上面に前記接着剤が入り込んだ凹部が設けられていることを特徴とする。
【００１３】
本発明の発光装置において好ましくは、前記支持部は前記反射部材の内周面の全周にわたって環状に設けられていることを特徴とする。
【００１４】
本発明の発光装置において好ましくは、前記凹部は、前記反射部材の内周方向に沿って溝状に前記支持部上面に連続するように設けられていることを特徴とする。
【００１５】
本発明の発光装置において好ましくは、前記凹部は、前記反射部材の内周方向に沿って前記支持部上面に分割して設けられていることを特徴とする。
【００１６】
本発明の発光装置において好ましくは、前記凹部は、平面視において円形状であることを特徴とする。
【００１７】
本発明の発光装置において好ましくは、前記凹部は、その縦断面形状が円弧状であることを特徴とする
本発明の発光装置において好ましくは、前記発光素子は、透光性部材に被覆されており、該透光性部材は、前記反射部材の内側に前記波長変換部材の下面との間に空隙が形成されるように配されていることを特徴とする。
【００１８】
本発明の照明装置は、上記本発明の発光装置と、前記発光装置が搭載され、前記発光装置を駆動する電気配線を有する駆動部と、前記発光装置から出射される光を反射する光反射手段とを含む。
【発明の効果】
【００１９】
本発明の発光装置は、反射部材の内周面に波長変換部材を接着剤を介して支持するための支持部が設けられており、この支持部の上面に接着剤が入り込んだ凹部が設けられていることにより、支持部に塗布された接着剤が凹部内に流れ込み、接着剤が支持部周囲の内周面を濡れ広がるように這い上がることがない。したがって、支持部表面と波長変換部材との間に隙間が生じるのを防ぐことができる。そして、熱を加えて接着剤を硬化させると、波長変換部材が熱膨張した状態で波長変換部材の周囲を接着することができ、その後、発光装置を常温に戻すと波長変換部材に周囲より引張力が働くので、波長変換部材の中央部が下側に湾曲するような変形を生じにくい。
【００２０】
本発明の発光装置において好ましくは、支持部が反射部材の内周面の全周にわたって環状に設けられていることにより、内周面の全周にわたって支持部と波長変換部材とが隙間なく接着されるので、発光素子からの光が内周面と波長変換部材との隙間から漏出し難くなる。そして、発光素子からのほとんどの光は、波長変換部材に入射され、波長変換部材において波長変換されて発光装置の外部に放射される。その結果、発光装置の光出力および発光効率が向上するとともに、支持部と波長変換部材との隙間から発光装置の外部に放射される発光素子からの光による、発光装置の色むらや色バラツキを抑制できる。
【００２１】
本発明の発光装置において好ましくは、凹部は反射部材の内周方向に沿って溝状に支持部上面に連続するように設けられていることにより、波長変換部材はその外周部に沿って連続的かつ均一に支持部に接着固定される。その結果、波長変換部材は、発光装置の作製工程や作動環境においても発光素子の光軸に対して垂直に保持され、波長変換部材が傾いたり、変形したりすることによって生じる発光装置の色むらや色バラツキを抑制できる。
【００２２】
本発明の発光装置において好ましくは、凹部は反射部材の内周方向に沿って支持部上面に分割して設けられていることにより、波長変換部材はその外周部に沿って連続的に均一な接着強度で支持部に接着固定される。その結果、波長変換部材は、発光装置の作製工程や作動環境においても発光素子の光軸に対して垂直に保持され、波長変換部材が傾いたり、変形したりすることによって生じる発光装置の色むらや色バラツキを抑制できる。
【００２３】
本発明の発光装置において好ましくは、凹部は平面視において円形状であることにより、発光装置の作製工程や作動環境において、凹部の内側面と接着剤との界面で接着剤に発生する応力は均一となる。すなわち、凹部が平面視において角部を有する場合、接着剤に発生する応力は角部に集中し、この応力によって接着剤が角部から剥がれやすくなるとともに凹部から剥がれ、接着剤の反射部材に対する接着強度が著しく低下するのに対し、凹部が円形状であるために、凹部に入り込んだ接着剤に発生する応力は、一部に集中することなく周方向に分散される。よって、発光装置の作製工程や作動環境において発生する接着剤への応力が分散され、接着剤が凹部より剥がれ難くなる。
【００２４】
本発明の発光装置において好ましくは、凹部の縦断面形状が円弧状であることにより、発光装置の作製工程や作動環境において、凹部の内側面と接着剤との界面で接着剤に発生する応力が分散される。よって接着剤が凹部より剥がれ難くなる。また、凹部の底面が円弧状に傾斜しているので、凹部と接着剤との界面に残留した気泡が凹部の内側面に沿って上方に移動し易くなる。したがって、凹部と接着剤との界面において残留する気泡によって、接着剤の接着強度が低下することを抑制できる。
【００２５】
本発明の発光装置において好ましくは、発光素子は透光性部材に被覆されており、この透光性部材は、反射部材の内側に波長変換部材の下面との間に空隙が形成されるように配されていることにより、発光素子からの光は、発光素子の内部から屈折率差の小さい透光性部材内に効率よく取り出され、透光性部材から空隙部を介して波長変換部材に入射されるとともに波長変換部材で波長変換される。この際、波長変換部材の内部から下方に放射される一部の光は、スネルの法則に従って波長変換部材と空隙部との界面で全反射され、発光装置の上方に反射される。その結果、発光装置内で閉じ込められる光が減少し、基体および反射部材による光吸収の影響が低減され、発光装置の光出力および発光効率は向上する。
【００２６】
さらに、発光装置の作製工程および作動環境における透光性部材の熱膨張や熱収縮により、波長変換部材が変形したり、湾曲したり、反射部材との接着部に応力が発生したりすることを抑制できる。その結果、発光装置の作製工程および作動環境において波長変換部材が反射部材から剥がれ難くなり、発光装置の作製工程における歩留まりが向上するとともに、発光装置を長期間にわたって正常に作動させることができる。
【００２７】
本発明の照明装置は、上記本発明の発光装置と、発光装置が搭載され、発光装置を駆動する電気配線を有する駆動部と、発光装置から出射される光を反射する光反射手段とを含むことにより、発光装置の輝度や、放射される光の波長等の変動が少なく、それぞれの発光装置の強度むらが抑制されるので、それらを集めて照明装置とした本発明の照明装置の輝度や波長変動および強度むらも抑制されたものとなる。
【発明を実施するための最良の形態】
【００２８】
本発明の発光装置について以下に詳細に説明する。図１乃至図７はそれぞれ本発明の発光装置の実施の形態の各種の例を示す断面図または上視平面図である。それぞれの図において、１は基体、２は反射部材、３は発光素子、４は透光性部材、５は波長変換部材であり、主としてこれらで発光装置が構成される。また、２ｂは反射部材２の内周面に設けられた支持部、２ｃは支持部２ｂの上面に設けられた凹部、６は波長変換部材５と支持部２ｂとを接着する接着剤を示す。
【００２９】
基体１は、酸化アルミニウム質焼結体，窒化アルミニウム質焼結体，ムライト質焼結体，ガラスセラミックス等のセラミックス、またはエポキシ樹脂や液晶ポリマー（ＰＬＣ）等の樹脂から成る絶縁体であり、基体１上面に発光素子３が搭載されることによって、発光素子３を支持する支持部材として機能する。
【００３０】
また、基体１がセラミックス等から成る場合、基体１となる複数のグリーンシートに、発光装置の内外を電気的に導通接続するために、タングステン（Ｗ），モリブデン（Ｍｏ），マンガン（Ｍｎ），銅（Ｃｕ）等の金属ペーストから成る配線導体（図示せず）を配置し、基体１を焼成すると同時に金属ペーストも焼成することにより、配線導体を有する基体１が形成される。そして、発光素子３が、配線導体に導電性部材（図示せず）を介して電気的に接続され、基体１の側面や下面などに導出された配線導体が、発光装置駆動回路基板（図示せず）に電気的に接続されることにより、発光装置駆動回路基板と発光素子３とが電気的に接続される。このような配線導体は、上記周知のメタライズ法やメッキ法などを用いて形成される。
【００３１】
なお、配線導体は、基体１の露出する表面に厚さ０．５〜９μｍのニッケル（Ｎｉ）層や、厚さ０．５〜５μｍの金（Ａｕ）層等の耐食性に優れる金属層が被着されているのがよく、これにより配線導体が酸化腐食するのを有効に防止できるとともに、半田等の導電性部材による発光素子３との接合を強固にすることができる。
【００３２】
また、基体１が樹脂から成る絶縁体の場合、配線導体は、Ｃｕ、銀（Ａｇ）、アルミニウム（Ａｌ）、鉄（Ｆｅ）−Ｎｉ−コバルト（Ｃｏ）合金またはＦｅ−Ｎｉ合金等の金属材料から成るリード端子（図示せず）を基体１に埋設し、リード端子の一端を搭載部１ａに導出し、他端を基体１の側面や下面に導出して露出させることによって形成される。
【００３３】
さらに、基体１は、その上面に発光素子３からの光透過を抑制するとともに、基体１の上方に光を効率良く反射させることを目的として、配線導体またはリード端子に対して電気的に短絡しないように、Ａｌ，Ａｇ，Ａｕ，白金（Ｐｔ），Ｃｕ等の金属層が蒸着法やメッキ法により形成され、基体１の上方へ反射するような光の反射率を向上させる反射層が作製されることがより好ましい。
【００３４】
また、基体１は、その上面に発光素子３を取り囲むように配置された反射部材２を具備しており、その内周面２ａに反射部材２の開口部を塞ぐように配置された、発光素子３からの光を波長変換する波長変換部材５を具備している。これにより、発光素子３から上方および側方に放射される光は、直接および反射部材２の内周面２ａで上方に反射されて波長変換部材５に入射されるとともに、波長変換部材５によって波長変換されて発光装置の外部に放射される。
【００３５】
なお、基体１は、配線導体となる金属材料およびこれを絶縁する絶縁体を組み合わせて、発光素子３を搭載する機能を有しておればよく、上記構成はその一例であって、これに限ることはない。
【００３６】
本発明の反射部材２は、その内周面２ａに波長変換部材５を接着剤６を介して支持するための支持部２ｂが設けられており、支持部２ｂの上面に接着剤６が入り込んだ凹部２ｃが設けられていることにより、支持部２ｂに塗布された接着剤６が凹部２ｃ内に流れ込み、接着剤が支持部周囲の内周面を濡れ広がるように這い上がることがない。したがって、波長変換部材５が支持部２ｂの上面に密着しないで浮き上がるように接着されてしまうことがなく、反射部材２と波長変換部材５との接着強度を十分に保持しつつ、発光素子３を起点とする基体１に垂直な発光素子３の光軸に対して垂直かつ内周面２ａの支持部２ｂ上面との間に隙間なく波長変換部材５を接着固定できる。すなわち、反射部材２と波長変換部材５との接着に十分な量の接着剤６を用いても、余分な接着剤６は凹部２ｃに流れ込み、波長変換部材５および支持部２ｂ上面の間の接着剤６を適量に調整できることから、支持部２ｂから内周面２ａに這い上がってしまう接着剤６の量を低減できるとともに、波長変換部材５を支持部２ｂに強固に接着することができる。
【００３７】
また、後述のように波長変換部材５を樹脂等の熱膨張率の大きい材料で作製した場合、熱を加えて接着剤６を硬化させると、波長変換部材５が熱膨張した状態で熱膨張率が比較的小さい反射部材２に接着されて固定される。その後、発光装置が常温に戻されると、波長変換部材５が熱収縮することによって波長変換部材５に周囲から引張力が働くので、波長変換部材５がたるむことがなく、中央部が下側に湾曲するような変形を生じない。
【００３８】
さらに、接着剤６は、凹部２ｃの幅より細いシリンジ等によって凹部２ｃに充填し、その表面張力によって支持部２ｂ上面から接着剤６の上端面が突出するようにしておき、その上に波長変換部材５を載置することによって、接着剤６が支持部２ｂ上面と波長変換部材５との間を濡れ広がるようにするとよい。この方法によって、波長変換部材５と内周面２ａとの間には、内周面２ａを這い上がった接着剤６によって形成される隙間が生じにくく、発光素子３の光は無駄なく波長変換部材５を介して発光装置の外部に放射される。従って、発光装置の光出力および発光効率が向上するとともに、波長変換部材５を介さずに発光装置の外部に放射された発光素子３からの光による、発光装置の色むらや色バラツキを抑制できる。
【００３９】
また、接着剤６を支持部２ｂ上の凹部２ｃよりも内側寄り（発光素子３搭載側）に塗布しておき、その上に波長変換部材５を載置するようにして波長変換部材５を反射部材２に接着してもよい。この方法による場合も、接着剤６は凹部２ｃ内に流れ込み、支持部２ｂの外周側の反射部材２の内周面２ａに濡れ広がり難いものとできる。
【００４０】
なお、凹部２ｃの深さや幅については、接着剤６の粘度や接着強度および反射部材２の材質や内周面２ａの表面特性を考慮し、適宜最適な寸法によって本発明の発光装置を作製できる。
【００４１】
本発明の支持部２ｂは、必ずしも反射部材２の内周面２ａの全周にわたって環状に設けられている必要はなく、内周面２ａの中心に関して点対称な方向に周方向に沿って分割して設けられていてもよいのであるが、好ましくは、図２の平面図に示すように、反射部材２の内周面２ａの全周にわたって環状に設けられているのがよい。これによって、波長変換部材５が反射部材２に強固に接着固定されるとともに、内周面２ａの全周にわたって支持部２ｂの上面と波長変換部材５とが隙間なく接着され、しかも内周面２ａの全周にわたって支持部２ｂによる段差が設けられるので、発光素子３からの光が内周面２ａと波長変換部材５との隙間から漏出し難くなる。そして、発光素子３からのほとんどの光は、波長変換部材５に入射され、波長変換部材５において波長変換されて発光装置の外部に放射される。その結果、発光装置の光出力および発光効率が向上するとともに、支持部２ｂと波長変換部材５との隙間から発光装置の外部に放射される発光素子３からの光による、発光装置の色むらや色バラツキを抑制できる。
【００４２】
凹部２ｃは、図２に示すように、反射部材２の内周方向に沿って溝状に支持部２ｂ上面に連続するように設けられてもよく、この場合、波長変換部材５はその外周部に沿って連続的かつ均一に支持部２ｂに接着固定される。その結果、波長変換部材５は、発光装置の作製工程や作動環境においても発光素子３の光軸に対して垂直に保持され、波長変換部材５が傾いたり、変形したりすることによって生じる発光装置の色むらや色バラツキを抑制できる。なお、凹部２ｃは周方向に一つだけ設けられる必要はなく、複数の凹部２ｃを設けてもよい。すなわち、一つの凹部２ｃを取り囲むように、その外周に他の凹部２ｃを設けるようにしてもよい。
【００４３】
また、凹部２ｃは、図３に示すように反射部材２の内周方向に沿って支持部２ｂ上面に分割して設けられてもよく、反射部材２と波長変換部材５との接着に十分な量の接着剤６を用いても、余分な接着剤６は凹部２ｃに十分流れ込み、波長変換部材５および支持部２ｂ上面の間の接着剤６を適量に調整することができる。また、凹部２ｃに充填される接着剤６の体積収縮による応力が支持部２ｂ上面で分割されることから、発光装置の作製工程や作動環境に応じて接着剤６に発生する応力を抑制できる。その結果、波長変換部材５が支持部２ｂから剥がれることを抑制でき、発光装置を長期間にわたって正常に作動できる。なお、図３においては、支持部２ｂ上面に４分割された凹部２ｃが反射部材２の中心に関して点対象に配置されているが、４分割に限ることはなく、２分割以上の複数に分割されたものであればよい。多分割にすることにより、凹部２ｃの合計表面積が増えるので、接着剤６の接着力を向上させることができる。
【００４４】
さらに、凹部２ｃは、図４に示すように反射部材２の内周方向に沿って支持部２ｂ上面に分割して多数設けられているとともに、各凹部は平面視において円形状であることにより、凹部２ｃの合計表面積を増やすことができ、接着剤６の接着力が大きくなるとともに、発光装置の作製工程や作動環境において、凹部２ｃの内側面と接着剤６との界面で接着剤６に発生する応力が均一となる。すなわち、凹部２ｃが平面視において角部を有する場合、接着剤６に発生する応力は角部に集中し、この応力によって接着剤６が角部から剥がれやすくなるとともに凹部２ｃから剥がれ、接着剤６の反射部材２に対する接着強度が著しく低下するのに対し、凹部２ｃが円形状であるために、凹部２ｃに入り込んだ接着剤に発生する応力は、一部に集中することなく分散される。よって、発光装置の作製工程や作動環境において発生する接着剤６への応力が分散され、接着剤が凹部２ｃより剥がれ難くなる。
【００４５】
さらにまた、凹部２ｃは、図５に示すようにその縦断面形状が円弧状であることが好ましく、接着剤６は円弧状の内側面に沿って凹部２ｃに充填されるとともに、凹部２ｃの底面が円弧状に傾斜しているので、凹部２ｃの底面に角がある場合に比較して凹部２ｃ底面の角部に気泡ができ難くなる。その結果、接着剤６または凹部２ｃと接着剤６との界面に残留する気泡等によって、接着剤６の接着強度が低下することを抑制できる。
【００４６】
なお、凹部２ｃは、従来周知の切削加工や金型成形等により形成される、または従来周知の切削加工や金型成形等によって上側面に凹部２ｃが形成された、樹脂または金属から成る枠状部材を、反射部材２とは別の部材として形成し、支持部２ｂに接合剤を用いて接合固定することによって形成される。
【００４７】
また、反射部材２は、基体１上面に発光素子３を取り囲むようにして、Ａｇ−Ｃｕ，鉛（Ｐｂ）−錫（Ｓｎ），Ａｕ−Ｓｎ，Ａｕ−ケイ素（Ｓｉ）,Ｓｎ−Ａｇ−Ｃｕ等の合金ロウ材や、シリコーン樹脂やエポキシ樹脂、アクリル樹脂等の樹脂接合材から成る接合材（図示せず）を介して取着されていてもよい。
【００４８】
なお、接合材は、基体１および反射部材２の材質や熱膨張係数等を考慮して適宜選定すればよく、特に限定されるものではない。また、基体１と反射部材２との接合に高信頼性が要求される場合、金属ロウ材や半田を用いるとよい。
【００４９】
さらに、反射部材２は、基体１と一体に形成されてもよく、例えば基体１および反射部材２がセラミックスからなる場合、基体１となるセラミックグリーンシートと反射部材２となるセラミックグリーンシートとを積層し、同時に焼成することによって形成される。
【００５０】
また、基体１および反射部材２は、エポキシ樹脂やＬＣＰ等の熱硬化型樹脂や熱可塑性樹脂等の樹脂から成る絶縁体から成る場合、基体１と反射部材２とが一体的に形成される成形型により、樹脂から成る絶縁体と金属材料から成るリード端子とを一体的にモールド成形することによって形成される。
【００５１】
また、反射部材２は、内周面２ａが発光素子３の光を効率良く反射する反射面とされ、発光素子３が内周面２ａに取り囲まれている構成により、発光素子３から側方に発せられた光は、発光装置の上方に効率良く反射されるとともに、基体１および反射部材２による光の吸収や透過が効果的に抑制されながら波長変換部材５に入射される。その結果、発光装置の光出力や発光効率は著しく向上する。
【００５２】
なお、内周面２ａは、発光素子３の光を上方に効率よく反射させるために、上側に向かうに伴って外側に広がるように傾斜しているのがよい。これにより、発光素子３から側方に放射された光は効率よく発光装置の上方に反射される。
【００５３】
また、内周面２ａは、Ａｌ，Ａｇ，Ａｕ，Ｐｔ，チタン（Ｔｉ），クロム（Ｃｒ），Ｃｕ等の金属材料や白色等のセラミックス、白色等のエポキシ樹脂やＬＣＰ等で構成された反射部材２を、切削加工や金型成形や積層成形等の成形加工することによって形成される。
【００５４】
あるいは、内周面２ａは、他の部材の表面にＡｌ，Ａｇ，Ａｕ等の金属鏡面を金属メッキや蒸着等により形成したり、エポキシ樹脂やシリコーン樹脂，アクリル樹脂等の未硬化の透明樹脂に、酸化アルミニウムや酸化チタン，酸化ジルコニウム等の金属酸化物から成る無機粒子を含有したペースト状の反射材料を塗布し、固化したりすることによって形成されてもよい。
【００５５】
なお、内周面２ａがＡｇやＣｕ等の酸化により変色し易い金属からなる場合、その表面に、紫外光領域から可視光領域にわたり透過率の優れる低融点ガラス，ゾル−ゲルガラスなどの無機物や、シリコーン樹脂，エポキシ樹脂，アクリル樹脂などの有機物を被着するのが良い。その結果、内周面２ａの耐腐食性、耐薬品性、耐候性が向上する。
【００５６】
また、内周面２ａは、その表面の算術平均粗さＲａを４μｍ以下とする場合、発光素子３からの光を低損失にかつ良好に発光装置の上方に反射することができる。これにより、例えば、発光素子３から直接外部に取り出された光と、波長変換部材５からの光と混合して光を放射する発光装置において発光効率は向上する。
【００５７】
なお、内周面２ａの算術平均粗さＲａが０．００４μｍ未満の場合、このような面を安定かつ効率よく形成することが困難となるとともに、製品コストが高くなりやすい。従って、内周面２ａの算術平均粗さは０．００４μｍ以上４μｍ以下とするのが好ましい。
【００５８】
さらに、内周面２ａは、その表面の算術平均粗さＲａを４μｍより大きくする場合、発光素子３からの光を内周面２ａで発光装置の上方に拡散反射させることができることから、発光素子３からの光を反射部材２で波長変換部材５全体に効率よく入射させることができる。その結果、波長変換部材５は、その波長変換効率に応じた光を発生させることができ、発光装置の光出力や発光効率は向上する。
【００５９】
なお、内周面２ａのＲａを上記の範囲にするには、従来周知の電解研磨加工、化学研磨加工もしくは切削研磨加工等により形成すればよい。また、金型の面精度を利用した転写加工により形成する方法を用いてもよい。
【００６０】
また、内周面２ａを曲面状に形成することにより、発光素子３から指向性の強い光を波長変換部材５に入射させ、効率よく発光装置の外部に放射できる。一方、発光素子３からの光の大部分を波長変換部材５によって波長変換させる発光装置の場合、内周面２ａを直線状に形成することにより、発光素子３からの光を波長変換部材５の下面から広範囲に入射でき、これによって波長変換部材５によって波長変換される発光素子３の光が増加し、発光装置の光出力や発光効率を向上できる。
【００６１】
内周面２ａは、上記のように上側に向かうに伴って外側に広がるように傾斜しているのがよいことから、支持部２ｂは、図１，図５，図６，図７の断面図に示すように、上側に向かうに伴って外側に広がるように傾斜している内周面２ａの途中で基体１の上側主面と平行な段差の上面に設けるのがよい。
【００６２】
さらに、反射部材２は、図６に示すように反射部材２の上端開口部にガラス、サファイア、石英、またはエポキシ樹脂，シリコーン樹脂，アクリル樹脂等の樹脂（プラスチック）などの透明部材から成る蓋体７を搭載固定しても良い。蓋体７を設けることにより、反射部材２の内側に設置された発光素子３、配線導体、波長変換部材５を保護するとともに、発光装置内部を気密に封止することができ、発光装置内部への耐浸水性が改善されるので、発光素子３を長期に安定した動作をさせることができる。また、蓋体７をレンズ状に形成して光学レンズの機能を付加することによって、光を集光または分散させて所望の放射角度、強度分布で光を発光装置の外部に取りだすことができる。
【００６３】
さらに、反射部材２は、発光素子３を外部環境や発光装置を落下させた際の衝撃から保護するとともに、波長変換部材５を保持する保持部材として機能する。従って、上記に示す構成はその一例であって、これに限ることはなく、上記機能を果たせるものであればよい。例えば、基体１と反射部材２とが一体に形成されており、反射部材２と呼ばれる部分がない場合、基体１が反射部材２の機能を兼ねることとなる。また、内周面２ａが必ず反射面になっている必要もない。
【００６４】
さらに、発光素子３は、図７に示すように透光性部材４に被覆されており、透光性部材４は、反射部材２の内側に波長変換部材５の下面との間に空隙が形成されるように配されていることが好ましく、発光素子３からの光は、発光素子３の内部から屈折率差の小さい透光性部材４内に効率よく取り出され、透光性部材４から空隙部を介して波長変換部材５に入射されるとともに波長変換部材５で波長変換される。この際、波長変換部材５の内部から下方に放射される一部の光は、スネルの法則に従って波長変換部材５と空隙部との界面で全反射され、発光装置の上方に反射される。その結果、発光装置内で閉じ込められる光が減少し、基体１および反射部材２による光吸収の影響が低減され、発光装置の光出力および発光効率は向上する。
【００６５】
さらに、発光装置の作製工程および作動環境における透光性部材４の熱膨張や熱収縮により、波長変換部材５が変形したり、湾曲したり、反射部材２との接着部に応力が発生したりすることを抑制できる。その結果、発光装置の作製工程および作動環境において波長変換部材５が変形することがなく、反射部材２から剥がれ難くなり、発光装置の作製工程における歩留まりが向上するとともに、発光装置を長期間にわたって正常に作動させることができる。
【００６６】
なお、透光性部材４は、例えばシリコーン樹脂系，エポキシ樹脂系，アクリル樹脂系，フッ素樹脂系，ポリカーボネート樹脂系，ポリイミド樹脂系等が挙げられるが、これに限定されるものではなく、基体１や反射部材２の材質や熱膨張係数等を考慮して適宜選定すればよい。
【００６７】
また、透光性部材４は、未硬化の透光性部材４が反射部材２の内側に発光素子３を被覆するようにディスペンサー等の注入器で注入される。その後、未硬化の透光性部材４は、加熱や自然放置または光照射によって硬化されて固化する。なお、透光性部材４の上部を透光性の蓋体で覆うことが必要になるが、液状の透光性部材４を用いてもよいことは言うまでもない。
【００６８】
さらに、透光性部材４は、シリコーン樹脂から成ることがより好ましく、発光素子３から発せられる光が、紫外光や近紫外光または青色光等の波長が短くエネルギーが高い光の場合、このような発光素子３の光に対して透過性がよく、分子構造が切断されにくいため、透光性部材４の透過率が劣化し難く、封止信頼性に優れた発光装置を提供することができる。
【００６９】
波長変換部材５は、例えば発光素子３の発する光を波長変換する蛍光体等の波長変換粒子（図示せず）が透明部材に含有されることにより、この波長変換粒子によって波長変換された所定の波長スペクトルを有する光、または発光素子３からの光と波長変換粒子によって波長変換された光とを混合した所定の波長スペクトルを有する光を発光装置から放射できる。
【００７０】
なお、透明部材は、紫外光領域から可視光領域の光に対して透過率の高いシリコーン樹脂，エポキシ樹脂，ユリア樹脂，フッ素樹脂等の透明樹脂や、低融点ガラス，ゾル−ゲルガラス等の透明ガラスから成る。
【００７１】
また、波長変換粒子は、様々な材料が用いられ、例えば赤はＬａ２Ｏ２Ｓ：Ｅｕ（ＥｕドープＬａ２Ｏ２Ｓ）の蛍光体やＬｉＥｕＷ２Ｏ８、緑はＺｎＳ：Ｃｕ，ＡｌやＳｒＡｌ２Ｏ４：Ｅｕの蛍光体、青は（ＳｒＣａＢａＭｇ）１０（ＰＯ４）６Ｃｌ２：ＥｕやＢａＭｇＡｌ１０Ｏ１７：Ｅｕの蛍光体等の粒子状のものが用いられる。さらに、このような蛍光体は１種類に限らず、複数のものを任意の割合で配合することにより、所望の発光スペクトルを有する光を出力することができる。
【００７２】
なお、波長変換部材５は、波長変換粒子が含有された未硬化の透明部材を、平滑面または粗面のガラス板等の平板または曲面板上に塗布し、加熱または大気中に放置することにより硬化させて形成される。そして、波長変換部材５は発光素子３を覆うように反射部材２に設置される。
【００７３】
また、発光素子３は、少なくとも紫外領域から青色領域に含まれる光を放射する発光素子３であることがより好ましい。この場合、紫外領域から青色領域の短波長でエネルギーの高い発光素子３の光を、蛍光体等の波長変換粒子または波長変換材によって長波長でエネルギーの低い蛍光等に効率よく変換でき、発光装置の光出力や発光効率を向上できる。
【００７４】
さらに、発光素子３は、白色光や種々の色の光を発光装置から視感性よく放射させるという観点から２００乃至５００ｎｍの波長範囲の紫外光から近紫外光および青色光の範囲に発光のピーク強度を有する素子であるのがよい。例えば、サファイア基板上にガリウム（Ｇａ）−窒素（Ｎ），Ａｌ−Ｇａ−Ｎ，インジウム（Ｉｎ）−ＧａＮ等から構成されるバッファ層，Ｎ型層，発光層，Ｐ型層を順次積層した窒化ガリウム系化合物半導体やシリコンカーバイド（ＳｉＣ）系化合物半導体、酸化亜鉛系化合物半導体やセレン化亜鉛系化合物半導体またはダイヤモンド系化合物半導体や窒化ホウ素系化合物半導体等が用いられる。
【００７５】
なお、発光素子３から発生する光の紫外領域とは、可視光の短波長端３６０〜４００ｎｍを下限とし、上限は１ｎｍくらいまでの波長範囲の電磁波とする（理化学事典第５版／岩波書店）。また、青色領域とは、可視光の短波長端３６０〜４００ｎｍを上限とし、下限は４９５ｎｍくらいまでの波長範囲とする（ＪＩＳ Ｚ8701 ＸＹＺ表色系の色度座標）。
【００７６】
また、発光素子３は、その電極がＡｕ−Ｓｎ，Ｓｎ−Ａｇ，Ｓｎ−Ａｇ−ＣｕまたはＳｎ−Ｐｂ等のロウ材や半田を用いた金属バンプ、またはＡｕやＡｇ等の金属を用いた金属バンプ、エポキシ樹脂等の樹脂にＡｇ等の金属粉末を含有して成る導電性樹脂から成る導電性部材（図示せず）を介してフリップチップ実装によって配線導体（図示せず）に電気的に接続される。例えば、配線導体（図示せず）上にペースト状のＡｕ−ＳｎやＰｂ−Ｓｎ等の半田材やＡｇペースト等からなる導電性部材（図示せず）がディスペンサー等を用いて搭載され、発光素子３は発光素子３の電極と導電性部材（図示せず）とが接触するように搭載され、その後、全体が１５０度〜３５０度程度で加熱されることにより、発光素子３の電極と配線導体（図示せず）とが導電性部材（図示せず）によって電気的に接続された発光装置を作製する方法や、配線導体（図示せず）上にペースト状のＡｕ−ＳｎやＰｂ−Ｓｎ等の半田材から成る導電性部材（図示せず）がディスペンサー等を用いて搭載されるとともに、全体が１５０度〜３５０度程度で加熱され、その後、発光素子３は発光素子３の電極と導電性部材（図示せず）とが接触するように搭載され、発光素子３の電極と配線導体（図示せず）とが導電性部材（図示せず）によって電気的に接続された発光装置を作製する方法等がある。また、配線導体（図示せず）および発光素子３の電極を、例えば、ボンディングワイヤ等の導電性部材（図示せず）で電気的に接続する方法を用いてもよく、フリップチップ実装にしか用いることができないものではない。
【００７７】
本発明の照明装置は、上記本発明の発光装置と、発光装置が搭載され、発光装置を駆動する電気配線を有する駆動部と、発光装置から出射される光を反射する光反射手段とを含むことにより、発光装置の輝度が向上し、放射される光の波長等の変動およびそれぞれの発光装置の強度むらが抑制され、それらを集めて照明装置とした本発明の照明装置の強度むらも抑制され、輝度の高いものとなる。
【００７８】
また、本発明の照明装置において、図８，図９，図１０，図１１に示されるように、一個の発光装置から成る発光装置１０１を所定の配置となるように設置したり、または、複数個を、例えば、格子状や千鳥状、放射状等の所定の配置となるように設置したりしてもよい。あるいは、複数の発光装置１０１から成る円形状や多角形状の発光装置１０１群を同心状に複数群形成したもの等を所定の配置となるように設置してもよい。
【００７９】
例えば、図８の平面図およびその断面図を示す図９のように複数個の発光装置１０１が発光装置１０１を駆動するための電気配線を有する駆動部１０２上に複数列に配置され、発光装置１０１の周囲に任意の形状に光学設計された反射板等の光反射手段１０３が設置されてなる発光装置の場合、隣り合う発光装置１０１との間隔が最短にならない配置、例えば一列に配置された複数個の発光装置１０１の間に隣り合う列の発光装置１０１が配置された配置、いわゆる千鳥状の配置とすることが好ましい。即ち、発光装置１０１が格子状に配置される場合には、発光装置１０１が縦横直線状の格子に配列されることによりグレアが強くなり、このような発光装置１０１が人の視覚に入ってくることにより、不快感を起こしやすくなるのに対し、千鳥状とすることにより、グレアが抑制され人の眼に対する不快感を低減することができる。さらに、隣り合う発光装置１０１間の距離が長くなることにより、隣接する発光装置１０１間の熱的な干渉が有効に抑制され、発光装置１０１が実装された駆動部１０２内における熱のこもりが抑制され、発光装置１０１の外部に効率よく熱が放散される。その結果、人の眼に対して不快感が小さく、長期間にわたって光学特性の安定した長寿命の発光装置を作製することができる。
【００８０】
また、発光装置が、図１０の平面図およびその断面図を示す図１１のような駆動部１０２上に複数の発光装置１０１からなる円形状や多角形状の発光装置１０１群を、同心状に複数群形成した発光装置の場合、一つの円形状や多角形状の発光装置１０１群における発光装置１０１の配置数を発光装置の中央側より外周側ほど多くすることが好ましい。これにより、発光装置１０１同士の間隔を適度に保ちながら発光装置１０１をより多く配置することができ、発光装置の照度をより向上させることができる。また、発光装置の中央部の発光装置１０１の密度を低くして駆動部１０２の中央部における熱のこもりを抑制することができる。その結果、駆動部１０２内における温度分布が一様となり、発光装置を設置した外部電気回路基板やヒートシンクに効率よく熱が伝達され、発光装置１０１の温度上昇を抑制することができ、発光装置１０１は長期間にわたり安定して動作することができるとともに長寿命の発光装置を作製することができる。
【００８１】
このような発光装置を用いた照明装置としては、例えば、室内や室外で用いられる、一般照明用器具、シャンデリア用照明器具、住宅用照明器具、オフィス用照明器具、店装、展示用照明器具、街路灯用照明器具、誘導灯器具および信号装置、舞台およびスタジオ用の照明器具、広告灯、照明用ポール、水中照明用ライト、ストロボ用ライト、スポットライト、電柱等に埋め込む防犯用照明、非常用照明器具、懐中電灯、電光掲示板等や、調光器、自動点滅器、ディスプレイ等のバックライト、動画装置、装飾品、照光式スイッチ、光センサ、医療用ライト、車載ライト等が挙げられる。
【実施例】
【００８２】
本発明の発光装置について図１にもとづき以下に実施例を示す。
【００８３】
まず、基体１となるアルミナセラミックス基板を準備し、１０ｍｍ□（一辺１０ｍｍの正方形）で厚さ０．５ｍｍの四角板状の上面中央部に、発光素子３が搭載される搭載部２ａを形成した。
【００８４】
また、反射部材２となるアルミニウム部材を準備し、１０ｍｍ□で高さ８ｍｍの四角柱の中央部に、上側開口直径が８ｍｍ、下側開口直径が３ｍｍの円錐台状の貫通孔を形成した。この貫通孔の内周面２ａが図１に示す反射部材２の内周面２ａとなる。
【００８５】
そして、反射部材２の内周面２ａにおいて基体１の上側主面から高さ４ｍｍの位置に、上面が平坦で幅が１ｍｍの支持部２ｂを設けた。
【００８６】
支持部２ｂの上面には、反射部材の内周方向に沿って連続した幅８００μｍの溝状で溝の断面形状が半径４００μｍの円弧である凹部２ｃを切削加工することによって形成した。
【００８７】
また、０．３５ｍｍ□で厚さ０．０８ｍｍの近紫外光を発する窒化物系化合物半導体から成る発光素子３を、Ａｕ−Ｓｎバンプを介して搭載部１ａに導出された配線導体にフリップチップ実装によって電気的に接続した後、基体１の上側主面に内周面２ａで発光素子３を取り囲むように反射部材２を樹脂接着剤で接着固定した。
【００８８】
また、赤色発光，緑色発光，青色発光を行なう３種類の蛍光体を含有したシリコーン樹脂を、ディスペンサーで平坦なガラス基板状に塗布し、硬化させて厚さ０．９ｍｍの板状の波長変換部材５を作製した。そして、波長変換部材５を支持部２ｂに搭載した際、反射部材２の開口部との間に隙間なく塞ぐことができる直径６ｍｍの円盤形状に波長変換部材５を形成し、シリコーン樹脂から成る接着剤６を針先の細いシリンジを装着したディスペンス装置を用いることによって凹部２ｂに注入し支持部２ｂに接着固定して発光装置を作製した。その後、発光素子３に通電し、発光装置の色温度と全光束を測定した。
【００８９】
なお、波長変換部材５に含有した蛍光体の密度は、発光装置から放射される光の色温度を６０００Ｋにすることを目標とし、赤色蛍光体（Ｌａ２Ｏ２Ｓ：Ｅｕ）が５．８ｇ／ｃｍ３、緑色蛍光体（ＢａＭｇＡｌ１０Ｏ１７：Ｅｕ）が３．８ｇ／ｃｍ３、青色蛍光体（ＢａＭｇＡｌ１０Ｏ１７：Ｅｕ、Ｍｎ）が３．８ｇ／ｃｍ３の蛍光体を波長変換部材５に配合した。
【００９０】
また、支持部２ｂに凹部２ｃを形成する構成を除いた発光装置を従来の発光装置として作製し、同様に色温度と全光束を測定するとともに本発明の発光装置の特性と比較した。
【００９１】
従来の発光装置では、発光装置から放射される光の全光束は３．２ｌｍ（３．２ルーメン）、色温度は６５００Ｋとなり、目標値である６０００Ｋから約５００Ｋで８％程度のズレが生じた。色温度が５００Ｋ高くなったのは、波長変換部材で変換されなかった発光素子３の光が直接外部にもれてしまい、発光スペクトルが変化し、その結果、色温度が高くなったと考えられる。一方、本発明の発光装置では、発光装置から放射される光の光束は３．４ｌｍ（３．４ルーメン）、色温度は５９５０Ｋとなり、目標値である６０００Ｋから約５０Ｋで１％程度のズレしか生じなかった。
【００９２】
以上により、本発明の発光装置において全光束は６％向上し、色温度のズレは１％未満に抑制することができ、発光装置の光出力および発光効率の向上と、色バラツキを抑制する構造として有用であることを確認できた。
【００９３】
なお、本発明は上記の実施の形態例および実施例に限定されず、本発明の要旨を逸脱しない範囲内で種々の変更を行なうことは何等支障ない。例えば、反射部材２の内周面２ａが平面視において円形状である例を示して説明したが、円形状に限定されることはなく、四角形状やその他の多角形状、楕円形状、その他星型等の不定形状であってもよい。また、反射部材２および基体１の外周形状も円形状に限定されることはなく、その他の多角形状、四角形状や楕円形状、その他の不定形状であってもよい。また、反射部材２の断面形状が直角三角形状のブロック状に示したが、例えば板材等で錐台状に形成されたものでもよい。
【００９４】
また、上記説明において上下左右という用語は、単に図面上の位置関係を説明するために用いたものであり、実際の使用時における位置関係を意味するものではない。
【図面の簡単な説明】
【００９５】
【図１】本発明の発光装置の実施の形態の一例を示す断面図である。
【図２】本発明の発光装置の実施の形態の他の例を示す上視平面図である。
【図３】本発明の発光装置の実施の形態の他の例を示す上視平面図である。
【図４】本発明の発光装置の実施の形態の他の例を示す上視平面図である。
【図５】本発明の発光装置の実施の形態の他の例を示す断面図である。
【図６】本発明の発光装置の実施の形態の他の例を示す断面図である。
【図７】本発明の発光装置の実施の形態の他の例を示す断面図である。
【図８】本発明の照明装置の実施の形態の一例を示す上視平面図である。
【図９】図８の照明装置の断面図である。
【図１０】本発明の照明装置の実施の形態の他の例を示す上視平面図である。
【図１１】図１０の照明装置の断面図である。
【図１２】従来の発光装置の断面図である。
【符号の説明】
【００９６】
１：基体
１ａ：搭載部
２：反射部材
２ａ：内周面
２ｂ：支持部
２ｃ：凹部
３：発光素子
５：波長変換部材
６：接着剤
【図１】
2007234637.tif 000003
【図２】
2007234637.tif 000004
【図３】
2007234637.tif 000005
【図４】
2007234637.tif 000006
【図５】
2007234637.tif 000007
【図６】
2007234637.tif 000008
【図７】
2007234637.tif 000009
【図８】
2007234637.tif 000010
【図９】
2007234637.tif 000011
【図１０】
2007234637.tif 000012
【図１１】
2007234637.tif 000013
【図１２】
2007234637.tif 000014